(57)【要約】  製造工程が増加するのを抑制するとともに、表示パネルの輝度が不均一になるのを抑制することが可能なバックライト装置を提供する。このバックライト装置（２０）は、ＬＥＤ（２１）が複数搭載される基板（２２）と、基板上に配置されるコネクタ（２３）とを備える。コネクタの周辺における光束は、コネクタの周辺以外における光束に比べて大きい。
2011013419.tif 000002
【特許請求の範囲】
【請求項１】
複数の点光源と、
前記点光源が複数搭載される一方面を有する基板と、
前記基板の一方面上に配置されるコネクタとを備え、
前記点光源から出射される光の前記コネクタの周辺における光束は、前記点光源から出射される光の前記コネクタの周辺以外における光束に比べて大きいことを特徴とするバックライト装置。
【請求項２】
前記複数の点光源は、前記コネクタに隣接するように配置される第１点光源と、前記第１点光源に比べて前記コネクタから離れた位置に配置される第２点光源とを含み、
前記第１点光源から出射される光束は、前記第２点光源から出射される光束に比べて大きいことを特徴とする請求項１に記載のバックライト装置。
【請求項３】
前記第１点光源に流れる電流は、前記第２点光源に流れる電流よりも大きいことを特徴とする請求項２に記載のバックライト装置。
【請求項４】
前記第１点光源の発光効率は、前記第２点光源の発光効率よりも高いことを特徴とする請求項２または３に記載のバックライト装置。
【請求項５】
前記コネクタの周辺における前記点光源の配置密度は、前記コネクタの周辺以外における前記点光源の配置密度よりも高いことを特徴とする請求項１〜４のいずれか１項に記載のバックライト装置。
【請求項６】
前記複数の点光源は、前記コネクタに隣接するように配置される第１点光源と、前記第１点光源に比べて前記コネクタから離れた位置に配置される第２点光源とを含み、
前記基板は、複数からなり、
隣接する前記基板の第１点光源同士の間の距離は、１つの前記基板上における前記第１点光源と前記第２点光源との間の距離よりも小さいことを特徴とする請求項５に記載のバックライト装置。
【請求項７】
前記基板の一方面上の所定領域には、反射部材が設けられていることを特徴とする請求項１〜６のいずれか１項に記載のバックライト装置。
【請求項８】
前記複数の点光源は、前記基板の長手方向に沿って配置されていることを特徴とする請求項１〜７のいずれか１項に記載のバックライト装置。
【請求項９】
前記点光源は、１つの前記基板上において、前記基板の長手方向に等ピッチで配置されていることを特徴とする請求項８に記載のバックライト装置。
【請求項１０】
前記コネクタは、前記基板の長手方向の端部に設けられており、
前記基板は、前記長手方向に沿って複数配置されていることを特徴とする請求項８または９に記載のバックライト装置。
【請求項１１】
前記基板は、複数からなり、
前記コネクタは、隣接する前記基板同士を電気的に接続することを特徴とする請求項１〜１０のいずれか１項に記載のバックライト装置。
【請求項１２】
前記点光源は、発光ダイオードであることを特徴とする請求項１〜１１のいずれか１項に記載のバックライト装置。
【請求項１３】
前記複数の点光源上をそれぞれ覆う複数の拡散レンズが設けられていることを特徴とする請求項１〜１２のいずれか１項に記載のバックライト装置。
【請求項１４】
請求項１〜１３のいずれか１項に記載のバックライト装置と、
前記バックライト装置により照明される表示パネルとを備えることを特徴とする表示装置。
【請求項１５】
前記表示パネルは、液晶表示パネルを含むことを特徴とする請求項１４に記載の表示装置。
【請求項１６】
請求項１４または１５に記載の表示装置と、
前記表示装置を収納するキャビネットと、
チューナと、
スピーカとを備えることを特徴とするテレビジョン受像機。
【発明の詳細な説明】
【技術分野】
【０００１】
この発明は、バックライト装置、表示装置およびテレビジョン受像機に関し、特に、点光源が搭載される基板と、基板上に設けられるコネクタとを備えたバックライト装置、表示装置およびテレビジョン受像機に関する。
【背景技術】
【０００２】
従来、表示パネルに光を照射するバックライト装置として、点光源が搭載される基板と、基板上に設けられるコネクタとを備えたバックライト装置が知られている。【０００３】
この従来のバックライト装置は、ＬＥＤ（発光ダイオード（点光源））が複数搭載される複数の基板と、基板上に配置され、基板同士を電気的に接続するコネクタと、基板上の所定領域に配置される反射シートなどの反射部材と、ＬＥＤの光出射側に配置される拡散シートなどの光学シートとを備えている。このようなバックライト装置では、反射部材には、複数の開口部が形成されており、この開口部を介して、ＬＥＤおよびコネクタが基板に電気的に接続されている。【０００４】
ここで、コネクタの表面の光の反射率は、通常、反射部材の表面の光の反射率に比べて低いので、コネクタの表面で光のロスが発生する。すなわち、ＬＥＤから出射し光学シートにより反射された光のうち、コネクタの表面で反射される光は、ＬＥＤから出射し光学シートにより反射された光のうち、反射部材の表面で反射される光に比べて少なくなる。このため、表示パネル側から見ると、コネクタ上の部分の輝度が、コネクタ上以外の部分の輝度に比べて低くなる。これにより、表示パネルの輝度が不均一になってしまうという不都合がある。【０００５】
そこで、この不都合を解消するバックライト装置が提案されている（例えば、特許文献１参照）。【０００６】
上記特許文献１には、ＬＥＤ（点光源）が複数搭載される複数の配線基板と、配線基板上に配置され、ＬＥＤを点灯させるための信号の入力または出力を行うコネクタと、配線基板上に配置される反射板（反射部材）と、ＬＥＤの光出射側に配置される拡散板とを備えたバックライト装置が開示されている。【０００７】
上記特許文献１では、反射板に、ＬＥＤを配線基板に電気的に接続するための開口部を形成するとともに、コネクタ上を覆うように反射シートを別途設ける構造や、反射板に、切り込みを入れることによりフラップ部を設け、そのフラップ部をコネクタ上を覆うように配置する構造などが提案されている。【０００８】
上記特許文献１のバックライト装置では、コネクタ上を覆うように反射シートを別途設けたり、コネクタ上を覆うように反射板のフラップ部を配置することによって、コネクタの表面で光のロスが発生するのを抑制することが可能である。
【先行技術文献】
【特許文献】
【０００９】
【特許文献１】特開２００８−１４７１４７号公報
【発明の概要】
【発明が解決しようとする課題】
【００１０】
しかしながら、上記特許文献１のバックライト装置のように、コネクタ上を覆うように反射シートを別途設ける場合、コネクタ毎に反射シートを貼り付ける必要があるので、製造工程が増加するという問題点がある。【００１１】
また、コネクタ上を覆うように反射板のフラップ部を配置する場合、フラップ部の根元部分を曲げる必要があるので、フラップ部の曲げ部分（根元部分）にストレスが加わる。このため、バックライト装置を長期にわたって使用した場合、温度環境や湿度環境に起因して、フラップ部の曲げ部分が折れたり反ったりしてしまう場合がある。この場合、コネクタの表面が剥き出しになるので、コネクタの表面で光のロスが発生し、表示パネルの輝度が不均一になってしまうという問題点がある。【００１２】
この発明は、上記のような課題を解決するためになされたものであり、この発明の目的は、製造工程が増加するのを抑制するとともに、表示パネルの輝度が不均一になるのを抑制することが可能なバックライト装置、表示装置およびテレビジョン受像機を提供することである。
【課題を解決するための手段】
【００１３】
上記目的を達成するために、この発明の第１の局面によるバックライト装置は、複数の点光源と、点光源が複数搭載される一方面を有する基板と、基板の一方面上に配置されるコネクタとを備え、点光源から出射される光のコネクタの周辺における光束は、点光源から出射される光のコネクタの周辺以外における光束に比べて大きい。【００１４】
この第１の局面によるバックライト装置では、上記のように、コネクタの周辺における光束を、コネクタの周辺以外における光束に比べて大きくすることによって、コネクタの表面で光のロスが発生しても、コネクタの周辺の光束により、コネクタの表面で発生する光のロスを補うことができる。これにより、表示パネル側から見て、コネクタ上の部分の輝度が、コネクタ上以外の部分の輝度に比べて低くなるのを抑制することができるので、表示パネルの輝度が不均一になるのを抑制することができる。【００１５】
また、第１の局面によるバックライト装置では、上記のように、表示パネルの輝度が不均一になるのを抑制するために、コネクタ上を覆うように反射シートを別途設ける必要がないので、製造工程が増加するのを抑制することができる。【００１６】
また、第１の局面によるバックライト装置では、上記のように、表示パネルの輝度が不均一になるのを抑制するために、反射部材にフラップ部を設けるとともに、そのフラップ部をコネクタ上を覆うように配置する必要がない。これにより、バックライト装置を長期にわたって使用したとしても、反射部材が折れたり反ったりするのを抑制することができるので、表示パネルの輝度が不均一になるのを抑制することができる。【００１７】
上記第１の局面によるバックライト装置において、好ましくは、複数の点光源は、コネクタに隣接するように配置される第１点光源と、第１点光源に比べてコネクタから離れた位置に配置される第２点光源とを含み、第１点光源から出射される光束は、第２点光源から出射される光束に比べて大きい。このように構成すれば、コネクタの周辺における光束を、コネクタの周辺以外における光束に比べて、容易に大きくすることができるので、表示パネルの輝度が不均一になるのを容易に抑制することができる。【００１８】
上記複数の点光源が第１点光源と第２点光源とを含むバックライト装置において、好ましくは、第１点光源に流れる電流は、第２点光源に流れる電流よりも大きい。このように構成すれば、第１点光源から出射される光束を、第２点光源から出射される光束に比べて、容易に大きくすることができる。これにより、表示パネルの輝度が不均一になるのをより容易に抑制することができる。【００１９】
上記複数の点光源が第１点光源と第２点光源とを含むバックライト装置において、好ましくは、第１点光源の発光効率は、第２点光源の発光効率よりも高い。このように構成すれば、第１点光源から出射される光束を、第２点光源から出射される光束に比べて、容易に大きくすることができる。これにより、表示パネルの輝度が不均一になるのをより容易に抑制することができる。【００２０】
上記第１の局面によるバックライト装置において、好ましくは、コネクタの周辺における点光源の配置密度は、コネクタの周辺以外における点光源の配置密度よりも高い。このように構成すれば、コネクタの周辺における光束を、コネクタの周辺以外における光束に比べて、容易に大きくすることができるので、表示パネルの輝度が不均一になるのを容易に抑制することができる。【００２１】
上記コネクタの周辺における点光源の配置密度がコネクタの周辺以外における点光源の配置密度よりも高いバックライト装置において、好ましくは、複数の点光源は、コネクタに隣接するように配置される第１点光源と、第１点光源に比べてコネクタから離れた位置に配置される第２点光源とを含み、基板は、複数からなり、隣接する基板の第１点光源同士の間の距離は、１つの基板上における第１点光源と第２点光源との間の距離よりも小さい。このように構成すれば、コネクタの周辺における点光源の配置密度を、コネクタの周辺以外における点光源の配置密度よりも、容易に高くすることができるので、表示パネルの輝度が不均一になるのをより容易に抑制することができる。【００２２】
上記第１の局面によるバックライト装置において、好ましくは、基板の一方面上の所定領域には、反射部材が設けられている。このように構成すれば、光の利用効率を、容易に向上させることができる。【００２３】
上記第１の局面によるバックライト装置において、複数の点光源を、基板の長手方向に沿って配置してもよい。【００２４】
上記基板が平面的に見て長方形状に形成されているバックライト装置において、好ましくは、点光源は、１つの基板上において、基板の長手方向に等ピッチで配置されている。このように構成すれば、表示パネルの輝度が不均一になるのをより抑制することができる。【００２５】
上記基板が平面的に見て長方形状に形成されているバックライト装置において、コネクタを、基板の長手方向の端部に設け、基板を、長手方向に沿って複数配置してもよい。【００２６】
上記第１の局面によるバックライト装置において、好ましくは、基板は、複数からなり、コネクタは、隣接する基板同士を電気的に接続する。このように構成すれば、容易に、複数の基板を直列や並列に電気的に接続することができる。【００２７】
上記第１の局面によるバックライト装置において、好ましくは、点光源は、発光ダイオードである。このように構成すれば、点光源の寿命を長くすることができるとともに、点光源の消費電力を低減することができる。【００２８】
上記第１の局面によるバックライト装置において、好ましくは、複数の点光源上をそれぞれ覆う複数の拡散レンズが設けられている。このように構成すれば、点光源から出射した光を拡散することができるので、表示パネルの輝度が不均一になるのをさらに抑制することができる。【００２９】
この発明の第２の局面による表示装置は、上記の構成のバックライト装置と、バックライト装置により照明される表示パネルとを備える。このように構成すれば、製造工程が増加するのを抑制するとともに、表示パネルの輝度が不均一になるのを抑制することが可能な表示装置を得ることができる。【００３０】
上記第２の局面による表示装置において、好ましくは、表示パネルは、液晶表示パネルを含む。このように構成すれば、製造工程が増加するのを抑制するとともに、表示パネルの輝度が不均一になるのを抑制することが可能な液晶表示装置を得ることができる。【００３１】
この発明の第３の局面によるテレビジョン受像機は、上記の構成の表示装置と、表示装置を収納するキャビネットと、チューナと、スピーカとを備える。このように構成すれば、製造工程が増加するのを抑制するとともに、表示パネルの輝度が不均一になるのを抑制することが可能なテレビジョン受像機を得ることができる。
【発明の効果】
【００３２】
以上のように、本発明によれば、製造工程が増加するのを抑制するとともに、表示パネルの輝度が不均一になるのを抑制することが可能なバックライト装置、表示装置およびテレビジョン受像機を容易に得ることができる。
【図面の簡単な説明】
【００３３】
【図１】本発明の第１実施形態によるバックライト装置を備えた液晶テレビジョン受像機の全体構成を示した分解斜視図である。
【図２】図１に示した本発明の第１実施形態によるバックライト装置を含む液晶表示装置の構造を示した分解斜視図である。
【図３】図１に示した本発明の第１実施形態によるバックライト装置の基板周辺の構造を示した断面図である。
【図４】本発明の第１実施形態に対応した実施例１の構造を示した断面図である。
【図５】本発明の第１実施形態に対応した実施例１の液晶表示パネルを透過した光のＡ方向の輝度特性を示した図である。
【図６】比較例１の液晶表示パネルを透過した光のＡ方向の輝度特性を示した図である。
【図７】本発明の第１実施形態に対応した実施例２の液晶表示パネルを撮影した画像データである。
【図８】比較例２の液晶表示パネルを撮影した画像データである。
【図９】本発明の第２実施形態によるバックライト装置の基板周辺の構造を示した断面図である。
【図１０】本発明の第２実施形態に対応した実施例３の構造を示した断面図である。
【図１１】本発明の第２実施形態に対応した実施例３の液晶表示パネルを透過した光のＡ方向の輝度特性を示した図である。
【図１２】本発明の第２実施形態に対応した実施例４の液晶表示パネルを撮影した画像データである。
【発明を実施するための形態】
【００３４】
以下、本発明の実施形態について図面を参照して説明する。
【００３５】
（第１実施形態）
まず、図１〜図３を参照して、本発明の第１実施形態によるバックライト装置２０を備えた液晶テレビジョン受像機１の構造について説明する。なお、液晶テレビジョン受像機１は、本発明の「テレビジョン受像機」の一例である。
【００３６】
本発明の第１実施形態によるバックライト装置２０を備えた液晶テレビジョン受像機１は、図１に示すように、バックライト装置２０を含む液晶表示装置１０と、液晶表示装置１０を収納するフロントキャビネット２およびバックキャビネット３と、フロントキャビネット２に取り付けられたスピーカ４と、チューナ５と、電源６と、支持部材７とを備えている。フロントキャビネット２、バックキャビネット３、スピーカ４、チューナ５、電源６および支持部材７は、従来一般に用いられるものが適用できるので、それぞれ簡単に説明する。なお、液晶表示装置１０は、本発明の「表示装置」の一例であり、フロントキャビネット２およびバックキャビネット３は、本発明の「キャビネット」の一例である。
【００３７】
フロントキャビネット２およびバックキャビネット３は、液晶表示装置１０、チューナ５および電源６を収納している。また、チューナ５は、受信した電波から所定のチャンネルの画像信号と音声信号とを生成する機能を有する。スピーカ４は、チューナ５が生成した音声信号に基づいて音声を発する機能を有する。電源６は、液晶表示装置１０、スピーカ４およびチューナ５に電力を供給するように構成されている。液晶表示装置１０は、支持部材７に支持されている。なお、スピーカ４、チューナ５および電源６が、液晶表示装置１０に組み付けられている構成であってもよい。
【００３８】
液晶表示装置１０は、図２に示すように、枠状のベゼル１１と、ベゼル１１に周縁部が覆われた液晶表示パネル１２と、液晶表示パネル１２の背面側に配置されるバックライト装置２０とによって構成されている。なお、液晶表示パネル１２は、本発明の「表示パネル」の一例である。
【００３９】
液晶表示パネル１２は、ＡＭ基板（アクティブマトリックス基板）１２ａと、ＡＭ基板１２ａに対向配置された対向基板１２ｂとを含んでいる。また、ＡＭ基板１２ａと対向基板１２ｂとの間には、液晶（図示せず）が封入されている。そして、液晶表示パネル１２は、バックライト装置２０に照明されることにより、表示パネルとして機能する。
【００４０】
バックライト装置２０は、複数のＬＥＤ２１が搭載された複数の基板２２と、隣接する基板２２同士を例えば直列に接続するコネクタ２３と、基板２２の前面２２ａ側に配置される反射シート２４と、反射シート２４の前面側に配置される拡散板２５および複数の光学シート２６と、これらを収納するフロントシャーシ２７およびバックシャーシ２８とを含んでいる。なお、ＬＥＤ２１は、本発明の「点光源」および「発光ダイオード」の一例であり、前面２２ａは、本発明の「一方面」の一例である。また、反射シート２４は、本発明の「反射部材」の一例である。
【００４１】
基板２２は、平面的に見て、長方形状に形成されている。また、基板２２は、基板２２の長手方向に沿って、例えば３つ配置されているとともに、基板２２の短手方向に沿って、例えば５つ配置されている。なお、以下の説明では、基板２２の長手方向をＡ方向と言うとともに、基板２２の短手方向をＢ方向と言う。
【００４２】
図３に示すように、基板２２の前面２２ａ上には、複数のＬＥＤ２１とコネクタ２３とが搭載されている。コネクタ２３は、基板２２のＡ方向の端部のうち、Ａ方向に隣接する基板２２と対向配置される端部に取り付けられている。また、隣接する一対のコネクタ２３は、互いに接続されており、隣接する基板２２同士を、物理的および電気的に接続している。なお、コネクタ２３の表面の光の反射率は、反射シート２４（図２参照）の表面の光の反射率に比べて低い。
【００４３】
また、基板２２は、ＬＥＤ２１を発光させるための電流（電力）が供給されるように構成されている。
【００４４】
また、ＬＥＤ２１は、各基板２２の前面２２ａ上に、Ａ方向に沿って、例えば３つずつ搭載されている。また、ＬＥＤ２１は、前方（拡散板２５側）に向かって光を出射するように形成されている。また、各ＬＥＤ２１には、光を拡散する機能を有する拡散レンズ２９が、ＬＥＤ２１上を覆うように設けられている。この拡散レンズ２９は、例えば、透明樹脂により形成されている。
【００４５】
ここで、第１実施形態では、１つの基板２２上に搭載される、例えば３つのＬＥＤ２１は、一定のピッチ（Ｐ１）で配置されている。すなわち、３つのＬＥＤ２１は、１つの基板２２上において、Ａ方向に等ピッチで配置されている。
【００４６】
また、複数のＬＥＤ２１は、コネクタ２３に隣接するように配置されたＬＥＤ２１ａと、ＬＥＤ２１ａに比べてコネクタ２３から離れた位置に配置されたＬＥＤ２１ｂとを含んでいる。
【００４７】
また、第１実施形態では、隣接する基板２２のＬＥＤ２１ａ同士の間の距離は、１つの基板２２上におけるＬＥＤ２１ａとＬＥＤ２１ｂとの間の距離に等しい。すなわち、Ａ方向に沿って配置された３つの基板２２上に搭載された全てのＬＥＤ２１は、等ピッチ（Ｐ１）で配置されている。なお、ＬＥＤ２１ａは、本発明の「第１点光源」の一例であり、ＬＥＤ２１ｂは、本発明の「第２点光源」の一例である。
【００４８】
また、ＬＥＤ２１は、例えば、青色発光素子と、青色発光素子から出射された青色光の一部を黄色光に変換する蛍光体とによって構成されており、青色光と黄色光とが混色されることによって白色光が得られるように構成されている。
【００４９】
なお、ＬＥＤ２１を、例えば、青色発光素子と、青色発光素子から出射された青色光の一部を赤色光および緑色光に変換する蛍光体とによって構成し、青色光、赤色光および緑色光が混色されることによって白色光が得られるように構成してもよい。
【００５０】
また、ＬＥＤ２１を、例えば、青色発光素子と、青色発光素子上に配置され、青色光の一部を緑色光に変換する蛍光体と、赤色発光素子とによって構成し、青色光、緑色光および赤色光が混色されることによって白色光が得られるように構成してもよい。
【００５１】
また、ＬＥＤ２１を、例えば、紫外発光素子と、紫外光を青色光、緑色光および赤色光に変換する蛍光体とによって構成してもよい。
【００５２】
また、第１実施形態では、コネクタ２３に隣接するように配置されたＬＥＤ２１ａから出射される光束ＬＡは、ＬＥＤ２１ａに比べてコネクタ２３から離れた位置に配置されたＬＥＤ２１ｂから出射される光束ＬＢに比べて大きい。具体的には、ＬＥＤ２１ａから出射される光束ＬＡと、ＬＥＤ２１ｂから出射される光束ＬＢとが、ＬＡ／ＬＢ＝約１．０５〜約１．１０の関係を満たすことが好ましい。
【００５３】
例えば、ＬＥＤ２１ａに流れる電流を、ＬＥＤ２１ｂに流れる電流よりも大きくすれば、ＬＥＤ２１ａから出射される光束ＬＡを、ＬＥＤ２１ｂから出射される光束ＬＢに比べて、容易に大きくすることが可能である。
【００５４】
また、コネクタ２３に隣接するように配置されるＬＥＤ２１ａとして、ＬＥＤ２１ｂよりも高い発光効率を有するＬＥＤ２１を用いても、ＬＥＤ２１ａから出射される光束ＬＡを、ＬＥＤ２１ｂから出射される光束ＬＢに比べて、容易に大きくすることが可能である。この場合、ＬＥＤ２１ａおよびＬＥＤ２１ｂに流す電流を等しくすることが可能であるので、回路構成が複雑になるのを抑制することが可能である。
【００５５】
なお、ＬＥＤ２１ａとして、ＬＥＤ２１ｂよりも高い発光効率を有するＬＥＤ２１を用い、かつ、ＬＥＤ２１ａに流れる電流を、ＬＥＤ２１ｂに流れる電流よりも大きくしてもよい。
【００５６】
反射シート２４は、図２および図３に示すように、基板２２の前面２２ａ上の所定領域に配置されている。また、反射シート２４は、例えば白色の樹脂により形成されており、ＬＥＤ２１から出射し拡散板２５などにより反射された光を、前方（拡散板２５側）に反射する機能を有する。
【００５７】
また、反射シート２４には、ＬＥＤ２１および拡散レンズ２９が挿入される複数の開口部２４ａと、コネクタ２３が挿入される複数の開口部２４ｂとが形成されている。この開口部２４ａは、拡散レンズ２９の外径よりも少しだけ大きい内径を有するように形成されている。また、開口部２４ｂは、隣接する一対のコネクタ２３の外形よりも少しだけ大きい開口を有するように形成されている。
【００５８】
拡散板２５は、ＬＥＤ２１から出射した光の一部を反射シート２４側に反射するとともに、ＬＥＤ２１から出射した光の残りを液晶表示パネル１２側（光学シート２６側）に透過する機能を有する。
【００５９】
複数の光学シート２６（図２参照）は、プリズムシートやレンズシートなどにより構成されており、拡散板２５を透過した光を所定の視野角に集光する機能を有する。
【００６０】
フロントシャーシ２７およびバックシャーシ２８（図２参照）は、樹脂により形成されている。なお、フロントシャーシ２７およびバックシャーシ２８は、金属製であってもよい。
【００６１】
第１実施形態では、上記のように、ＬＥＤ２１ａから出射される光束ＬＡを、ＬＥＤ２１ｂから出射される光束ＬＢに比べて大きくすることによって、コネクタ２３の周辺における光束を、コネクタ２３の周辺以外における光束に比べて大きくすることができる。ここで、コネクタ２３の表面の光の反射率は、反射シート２４の表面の光の反射率に比べて低いので、コネクタ２３の表面で光のロスが発生する。しかしながら、第１実施形態では、コネクタ２３の周辺における光束を、コネクタ２３の周辺以外における光束に比べて大きくすることができるので、コネクタ２３の表面で光のロスが発生しても、コネクタ２３の周辺の光束により、コネクタ２３の表面で発生する光のロスを補うことができる。これにより、液晶表示パネル１２側から見て、コネクタ２３上の部分の輝度が、コネクタ２３上以外の部分の輝度に比べて低くなるのを抑制することができるので、液晶表示パネル１２の輝度が不均一になるのを抑制することができる。
【００６２】
また、第１実施形態では、上記のように、液晶表示パネル１２の輝度が不均一になるのを抑制するために、コネクタ２３上を覆うように反射シートを別途設ける必要がないので、製造工程が増加するのを抑制することができる。
【００６３】
また、第１実施形態では、上記のように、液晶表示パネル１２の輝度が不均一になるのを抑制するために、反射シート２４にフラップ部を設けるとともに、そのフラップ部をコネクタ２３上を覆うように配置する必要がない。これにより、バックライト装置２０を長期にわたって使用したとしても、反射シート２４が折れたり反ったりするのを抑制することができるので、液晶表示パネル１２の輝度が不均一になるのを抑制することができる。
【００６４】
また、第１実施形態では、上記のように、ＬＥＤ２１ａに流れる電流を、ＬＥＤ２１ｂに流れる電流よりも大きくすれば、ＬＥＤ２１ａから出射される光束ＬＡを、ＬＥＤ２１ｂから出射される光束ＬＢに比べて、容易に大きくすることができる。
【００６５】
また、第１実施形態では、上記のように、ＬＥＤ２１ａの発光効率を、ＬＥＤ２１ｂの発光効率よりも高くすれば、ＬＥＤ２１ａから出射される光束ＬＡを、ＬＥＤ２１ｂから出射される光束ＬＢに比べて、容易に大きくすることができる。
【００６６】
また、第１実施形態では、上記のように、ＬＥＤ２１を、１つの基板２２上において、Ａ方向に等ピッチで配置することによって、液晶表示パネル１２の輝度が不均一になるのをより抑制することができる。
【００６７】
また、第１実施形態では、上記のように、点光源として、発光ダイオード（ＬＥＤ２１）を用いることによって、点光源（ＬＥＤ２１）の寿命を長くすることができるとともに、点光源（ＬＥＤ２１）の消費電力を低減することができる。
【００６８】
また、第１実施形態では、上記のように、複数のＬＥＤ２１上をそれぞれ覆う複数の拡散レンズ２９を設けることによって、ＬＥＤ２１から出射した光を拡散することができるので、液晶表示パネル１２の輝度が不均一になるのをさらに抑制することができる。
【００６９】
次に、図４〜図８を参照して、上記した効果を確認するために行った確認実験について説明する。
【００７０】
この確認実験では、第１実施形態に対応した実施例１および２と、比較例１および２とを用いた。そして、第１実施形態に対応した実施例１と、比較例１とについて、液晶表示パネル１２を透過した光のＡ方向の輝度特性を、シミュレーションにより求めた。また、第１実施形態に対応した実施例２と、比較例２とについて、液晶表示パネル１２を透過した光の面内の輝度特性（Ａ方向およびＢ方向の輝度特性）を、シミュレーションにより求めた。
【００７１】
まず、液晶表示パネル１２を透過した光のＡ方向の輝度特性を求めたシミュレーションについて説明する。
【００７２】
実施例１では、図４に示すように、Ａ方向に沿って２つの基板２２を接続した。また、基板２２には、ＬＥＤ２１を２つずつ搭載した。また、２つの基板２２に搭載される全て（４つ）のＬＥＤ２１を、等ピッチで配置した。また、コネクタ２３に隣接するように配置されたＬＥＤ２１ａから出射される光束ＬＡと、ＬＥＤ２１ａに比べてコネクタ２３から離れた位置に配置されたＬＥＤ２１ｂから出射される光束ＬＢとを、ＬＡ／ＬＢ＝１．０５の関係を満たすようにした。なお、この確認実験では、ＬＥＤ２１上に拡散レンズ２９を設けなかった。
【００７３】
比較例１では、コネクタ２３に隣接するように配置されたＬＥＤ２１ａから出射される光束ＬＡと、ＬＥＤ２１ａに比べてコネクタ２３から離れた位置に配置されたＬＥＤ２１ｂから出射される光束ＬＢとを、等しくした。なお、比較例１のその他の構造は、実施例１と同様にした。
【００７４】
そして、実施例１および比較例１について、拡散板２５および液晶表示パネル１２を透過した光のＡ方向の輝度特性をシミュレーションにより求めた。その結果を、図５および図６にそれぞれ示す。
【００７５】
図５および図６を参照して、実施例１では、比較例１に比べて、コネクタ２３上の輝度が低下するのを抑制することができるとともに、液晶表示パネル１２の輝度が不均一になるのを抑制することができることが判明した。これは、実施例１では、ＬＥＤ２１ａから出射される光束ＬＡを、ＬＥＤ２１ｂから出射される光束ＬＢに比べて大きくすることによって、ＬＥＤ２１ａから出射される光束ＬＡにより、コネクタ２３の表面で発生する光のロスを補うことができたためであると考えられる。
【００７６】
次に、液晶表示パネル１２を透過した光の面内の輝度特性を求めたシミュレーションについて説明する。
【００７７】
実施例２では、Ａ方向に沿って３つの基板２２を接続した。また、実施例２では、上記実施例１と同様、ＬＥＤ２１ａから出射される光束ＬＡと、ＬＥＤ２１ｂから出射される光束ＬＢとを、ＬＡ／ＬＢ＝１．０５の関係を満たすようにした。なお、実施例２のその他の構造は、実施例１と同様にした。
【００７８】
比較例２では、ＬＥＤ２１ａから出射される光束ＬＡと、ＬＥＤ２１ｂから出射される光束ＬＢとを、等しくした。なお、比較例２のその他の構造は、実施例２と同様にした。
【００７９】
そして、実施例２および比較例２について、拡散板２５および液晶表示パネル１２を透過した光の面内の輝度特性をシミュレーションにより求めた。その結果を、図７および図８にそれぞれ示す。なお、図７および図８は、液晶表示パネル１２を撮影した画像データであり、輝度の高い部分は、輝度の低い部分に比べて白く写し出されている。
【００８０】
図７および図８を参照して、実施例２では、比較例２に比べて、コネクタ２３上の輝度が低下するのを抑制することができることが判明した。具体的には、比較例２では、液晶表示パネル１２のコネクタ２３上に位置する部分に暗線が見られた一方、実施例２では、液晶表示パネル１２のコネクタ２３上に位置する部分に暗線が見られなかった。これは、実施例２では、実施例１と同様、ＬＥＤ２１ａから出射される光束ＬＡを、ＬＥＤ２１ｂから出射される光束ＬＢに比べて大きくすることによって、ＬＥＤ２１ａから出射される光束ＬＡにより、コネクタ２３の表面で発生する光のロスを補うことができたためであると考えられる。
【００８１】
（第２実施形態）
この第２実施形態では、図９を参照して、上記第１実施形態と異なり、コネクタ２３の周辺のＬＥＤ１２１の配置密度を高くする場合について説明する。
【００８２】
本発明の第２実施形態によるバックライト装置では、図９に示すように、基板１２２の前面１２２ａ上には、複数のＬＥＤ１２１とコネクタ２３とが搭載されている。なお、前面１２２ａは、本発明の「一方面」の一例であり、ＬＥＤ１２１は、本発明の「点光源」および「発光ダイオード」の一例である。
【００８３】
ここで、第２実施形態では、１つの基板１２２上に搭載される、例えば３つのＬＥＤ１２１は、一定のピッチ（Ｐ１１）で配置されている。すなわち、３つのＬＥＤ１２１は、１つの基板１２２上において、Ａ方向に等ピッチで配置されている。
【００８４】
また、第２実施形態では、複数のＬＥＤ１２１のうち、コネクタ２３に隣接するように配置されたＬＥＤ１２１ａ同士の間の距離は、ＬＥＤ２１ａと、ＬＥＤ１２１ａに比べてコネクタ２３から離れた位置に配置されたＬＥＤ１２１ｂとの間の距離よりも小さい。すなわち、隣接する基板１２２のＬＥＤ１２１ａ同士のピッチ（Ｐ１２）は、ＬＥＤ１２１ａとＬＥＤ１２１ｂとのピッチ（Ｐ１１）よりも小さい。これにより、コネクタ２３の周辺におけるＬＥＤ１２１の配置密度は、コネクタ２３の周辺以外におけるＬＥＤ１２１の配置密度よりも高くなっている。なお、ＬＥＤ１２１ａ同士のピッチ（Ｐ１２）と、ＬＥＤ１２１ａおよびＬＥＤ１２１ｂのピッチ（Ｐ１１）とは、Ｐ１２／Ｐ１１＝約０．９３〜約０．９８の関係を満たすことが好ましい。また、ＬＥＤ１２１ａは、本発明の「第１点光源」の一例であり、ＬＥＤ１２１ｂは、本発明の「第２点光源」の一例である。
【００８５】
また、第２実施形態では、ＬＥＤ１２１ａから出射される光束は、ＬＥＤ１２１ｂから出射される光束と等しい。
【００８６】
なお、第２実施形態のその他の構造は、上記第１実施形態と同様である。
【００８７】
第２実施形態では、上記のように、コネクタ２３の周辺におけるＬＥＤ１２１の配置密度を、コネクタ２３の周辺以外におけるＬＥＤ１２１の配置密度よりも高くすることによって、コネクタ２３の周辺における光束を、コネクタ２３の周辺以外における光束に比べて、容易に大きくすることができる。これにより、コネクタ２３の表面で光のロスが発生しても、液晶表示パネル１２側から見て、コネクタ２３上の部分の輝度が、コネクタ２３上以外の部分の輝度に比べて低くなるのを容易に抑制することができるので、液晶表示パネル１２の輝度が不均一になるのを容易に抑制することができる。
【００８８】
また、第２実施形態では、上記のように、隣接する基板１２２のＬＥＤ１２１ａ同士の間の距離を、ＬＥＤ１２１ａとＬＥＤ１２１ｂとの間の距離よりも小さくすることによって、コネクタ２３の周辺におけるＬＥＤ１２１の配置密度を、コネクタ２３の周辺以外におけるＬＥＤ１２１の配置密度よりも、容易に高くすることができる。これにより、液晶表示パネル１２の輝度が不均一になるのをより容易に抑制することができる。
【００８９】
なお、第２実施形態のその他の効果は、上記第１実施形態と同様である。
【００９０】
次に、図１０〜図１２を参照して、上記した効果を確認するために行った確認実験について説明する。
【００９１】
この確認実験では、第２実施形態に対応した実施例３および４を用いた。そして、第２実施形態に対応した実施例３について、液晶表示パネル１２を透過した光のＡ方向の輝度特性を、シミュレーションにより求めた。また、第２実施形態に対応した実施例４について、液晶表示パネル１２を透過した光の面内の輝度特性（Ａ方向およびＢ方向の輝度特性）を、シミュレーションにより求めた。
【００９２】
まず、液晶表示パネル１２を透過した光のＡ方向の輝度特性を求めたシミュレーションについて説明する。
【００９３】
実施例３では、図１０に示すように、Ａ方向に沿って２つの基板１２２を接続した。また、基板１２２には、ＬＥＤ１２１を２つずつ搭載した。また、ＬＥＤ１２１ａ同士のピッチ（Ｐ２２）を、ＬＥＤ１２１ａとＬＥＤ１２１ｂとのピッチ（Ｐ２１）よりも小さくした。具体的には、ＬＥＤ１２１ａ同士のピッチ（Ｐ２２）と、ＬＥＤ１２１ａおよびＬＥＤ１２１ｂのピッチ（Ｐ２１）とを、Ｐ２２／Ｐ２１＝０．９５の関係を満たすようにした。また、ＬＥＤ１２１ａから出射される光束と、ＬＥＤ１２１ｂから出射される光束とを、等しくした。なお、この確認実験では、ＬＥＤ１２１上に拡散レンズ２９を設けなかった。
【００９４】
そして、実施例３について、拡散板２５および液晶表示パネル１２を透過した光のＡ方向の輝度特性をシミュレーションにより求めた。その結果を、図１１に示す。
【００９５】
図１１を参照して、実施例３では、コネクタ２３上の輝度が低下するのを抑制することができるとともに、液晶表示パネル１２の輝度が不均一になるのを抑制することができることが判明した。実施例３では、コネクタ２３の周辺におけるＬＥＤ１２１の配置密度を、コネクタ２３の周辺以外におけるＬＥＤ１２１の配置密度よりも高くすることによって、コネクタ２３の周辺における光束を、コネクタ２３周辺以外における光束に比べて、大きくすることができるので、コネクタ２３の表面で発生する光のロスを補うことができたためであると考えられる。
【００９６】
次に、液晶表示パネル１２を透過した光の面内の輝度特性を求めたシミュレーションについて説明する。
【００９７】
実施例４では、Ａ方向に沿って３つの基板１２２を接続した。また、実施例４では、上記実施例３と同様、ＬＥＤ１２１ａ同士のピッチ（Ｐ２２）と、ＬＥＤ１２１ａおよびＬＥＤ１２１ｂのピッチ（Ｐ２１）とを、Ｐ２２／Ｐ２１＝０．９５の関係を満たすようにした。また、ＬＥＤ１２１ａから出射される光束と、ＬＥＤ１２１ｂから出射される光束とを、等しくした。なお、実施例４のその他の構造は、実施例３と同様にした。
【００９８】
そして、実施例４について、拡散板２５および液晶表示パネル１２を透過した光の面内の輝度特性をシミュレーションにより求めた。その結果を、図１２に示す。
【００９９】
図１２を参照して、実施例４では、上記実施例２と同様、上記比較例２に比べて、コネクタ２３上の輝度が低下するのを抑制することができることが判明した。具体的には、実施例４では、液晶表示パネル１２のコネクタ２３上に位置する部分に暗線が見られなかった。これは、実施例４では、実施例３と同様、コネクタ２３の周辺におけるＬＥＤ１２１の配置密度を、コネクタ２３の周辺以外におけるＬＥＤ１２１の配置密度よりも高くすることによって、コネクタ２３の周辺における光束を、コネクタ２３周辺以外における光束に比べて、大きくすることができるので、コネクタ２３の表面で発生する光のロスを補うことができたためであると考えられる。
【０１００】
なお、今回開示された実施形態および実施例は、すべての点で例示であって制限的なものではないと考えられるべきである。本発明の範囲は、上記した実施形態および実施例の説明ではなく請求の範囲によって示され、さらに請求の範囲と均等の意味および範囲内でのすべての変更が含まれる。
【０１０１】
例えば、上記実施形態では、表示パネル、表示装置およびテレビジョン受像機を、それぞれ、液晶表示パネル、液晶表示装置および液晶テレビジョン受像機に適用した例について示したが、本発明はこれに限らず、液晶表示パネル、液晶表示装置および液晶テレビジョン受像機以外の表示パネル、表示装置およびテレビジョン受像機に適用してもよい。
【０１０２】
また、上記実施形態では、点光源として、ＬＥＤを用いた例について示したが、本発明はこれに限らず、例えば半導体レーザ素子などの、ＬＥＤ以外の点光源を用いてもよい。
【０１０３】
また、上記実施形態および実施例では、各基板上に、２つまたは３つのＬＥＤを搭載した例について示したが、本発明はこれに限らず、１つの基板上に、４つ以上のＬＥＤを搭載してもよい。
【０１０４】
また、上記実施形態では、ＬＥＤを、白色光を出射するように構成した例について示したが、本発明はこれに限らず、ＬＥＤを、白色光以外の光を出射するように構成してもよい。
【０１０５】
また、上記実施形態では、ＬＥＤを、発光素子と蛍光体とにより構成した例について示したが、本発明はこれに限らず、ＬＥＤを、例えば、蛍光体を用いず、青色発光素子、赤色発光素子および緑色発光素子により構成してもよい。
【０１０６】
また、上記実施形態では、各基板上に、ＬＥＤを一列状に搭載した例について説明したが、本発明はこれに限らず、各基板上に、ＬＥＤを複数列状に搭載してもよい。
【０１０７】
また、上記実施形態では、本発明を、ＬＥＤ上を覆うように拡散レンズを設けた例について示したが、本発明はこれに限らず、ＬＥＤ上を覆う拡散レンズを設けなくてもよい。
【０１０８】
また、上記実施形態では、コネクタが基板の端部に設けられている例について示したが、本発明はこれに限らず、コネクタが基板の端部以外の位置に設けられている場合にも適用可能である。
【０１０９】
また、上記実施形態では、基板が複数設けれている例について示したが、本発明はこれに限らず、基板が１つだけ設けられている場合にも、適用可能である。
【０１１０】
また、上記実施形態では、隣接する基板同士を電気的に接続するコネクタを用いる場合について示したが、本発明はこれに限らず、基板と、基板以外の部材とを接続するコネクタを用いてもよい。
【０１１１】
また、上記第１実施形態では、ＬＥＤ２１ａから出射される光束を、ＬＥＤ２１ｂから出射される光束に比べて大きくし、上記第２実施形態では、コネクタの周辺におけるＬＥＤの配置密度を、コネクタの周辺以外におけるＬＥＤの配置密度よりも高くした例について示したが、本発明はこれに限らず、ＬＥＤ２１ａから出射される光束を、ＬＥＤ２１ｂから出射される光束に比べて大きくし、かつ、コネクタの周辺におけるＬＥＤの配置密度を、コネクタの周辺以外におけるＬＥＤの配置密度よりも高くしてもよい。
【０１１２】
また、上記第１実施形態では、ＬＥＤ２１ａから出射される光束ＬＡと、ＬＥＤ２１ｂから出射される光束ＬＢとを、ＬＡ／ＬＢ＝約１．０５〜約１．１０の関係を満たすようにした例について説明したが、本発明はこれに限らず、光束ＬＡが光束ＬＢよりも大きければ、光束ＬＡおよび光束ＬＢは、ＬＡ／ＬＢ＝約１．０５〜約１．１０の関係を満たさなくてもよい。
【０１１３】
また、上記第２実施形態では、ＬＥＤ１２１ａ同士のピッチ（Ｐ１２）と、ＬＥＤ１２１ａおよびＬＥＤ１２１ｂのピッチ（Ｐ１１）とが、Ｐ１２／Ｐ１１＝約０．９３〜約０．９８の関係を満たすようにした例について説明したが、本発明はこれに限らず、ＬＥＤ１２１ａ同士のピッチ（Ｐ１２）が、ＬＥＤ１２１ａおよびＬＥＤ１２１ｂのピッチ（Ｐ１１）よりも小さければ、ピッチ（Ｐ１２）およびピッチ（Ｐ１１）は、Ｐ１２／Ｐ１１＝約０．９３〜約０．９８の関係を満たさなくてもよい。
【０１１４】
また、上記第２実施形態では、隣接する基板１２２のＬＥＤ１２１ａ同士の間の距離を、ＬＥＤ１２１ａとＬＥＤ１２１ｂとの間の距離よりも小さくすることにより、コネクタ２３の周辺におけるＬＥＤ１２１の配置密度を、コネクタ２３の周辺以外におけるＬＥＤ１２１の配置密度よりも高くした例について示したが、本発明はこれに限らず、ＬＥＤ１２１ａのＢ方向の数がＬＥＤ１２１ｂのＢ方向の数よりも多くなるように、少なくともＬＥＤ１２１ａを多列状に配置することにより、コネクタ２３の周辺におけるＬＥＤ１２１の配置密度を、コネクタ２３の周辺以外におけるＬＥＤ１２１の配置密度よりも高くしてもよい。
【符号の説明】
【０１１５】
１  液晶テレビジョン受像機（テレビジョン受像機）
２  フロントキャビネット（キャビネット）
３  バックキャビネット（キャビネット）
４  スピーカ
５  チューナ
１０  液晶表示装置（表示装置）
１２  液晶表示パネル（表示パネル）
２０  バックライト装置
２１、１２１  ＬＥＤ（点光源、発光ダイオード）
２１ａ、１２１ａ  ＬＥＤ（第１点光源）
２１ｂ、１２１ｂ  ＬＥＤ（第２点光源）
２２、１２２  基板
２２ａ、１２２ａ  前面（一方面）
２３  コネクタ
２４  反射シート（反射部材）
２９  拡散レンズ
【図１】
2011013419.tif 000003
【図２】
2011013419.tif 000004
【図３】
2011013419.tif 000005
【図４】
2011013419.tif 000006
【図５】
2011013419.tif 000007
【図９】
2011013419.tif 000008
【図１０】
2011013419.tif 000009
【図１１】
2011013419.tif 000010
【図６】
2011013419.tif 000011
【図７】
2011013419.tif 000012
【図８】
2011013419.tif 000013
【図１２】
2011013419.tif 000014
【国際調査報告】
2011013419.tif 000015
2011013419.tif 000016
2011013419.tif 000017